【事件の表示】
　商願２０１８−１６２８８７拒絶査定不服審判事件について，次のとおり審決する。
【結　論】
　本件審判の請求は，成り立たない。
【理　由】
１　本願商標
　本願商標は，「くるくるロール寿司」の文字を標準文字で表してなり，第３０類「すし」を指定商品として，平成３０年１２月２６日に登録出願されものである。
２　引用商標
　原査定において，本願商標が商標法第４条第１項第１１号に該当するとして，本願の拒絶の理由に引用した登録商標は，以下のとおりであり，いずれも現に有効に存続しているものである。
（１）引用商標１
　登録第１５７６８６６号商標は，別掲１のとおりの構成よりなり，昭和５３年１２月２７日登録出願，第３２類「寿し」を指定商品として，同５８年３月２８日に設定登録され，その後，平成１６年２月１８日に指定商品を第３０類「すし」とする指定商品の書換登録がされたものである。
（２）引用商標２
　登録第１７０３６３８号商標は，別掲２のとおりの構成よりなり，昭和５６年６月１９日登録出願，第３２類「すし」を指定商品として，同５９年７月２５日に設定登録され，その後，平成１６年６月１６日に指定商品を第３０類「すし」とする指定商品の書換登録がされたものである。
３　当審の判断
（１）商標法第４条第１項第１１号の該当性について
ア　本願商標
　本願商標は，上記１のとおり，「くるくるロール寿司」の文字を標準文字で表してなるところ，その構成中，「くるくる」の文字は，「ものが軽快に連続して回転したり，輪を描くように移動したりするさま」の意味を有する（株式会社岩波書店　広辞苑第七版）こと，「ロール寿司」の文字部分は，原審において示した例（別掲３）に加えて，別掲４によれば，「具や酢飯で海苔を巻いた寿司」程の意味合いを表す語として広く一般に使用されている実情が認められること，「くるくる」及び「ロール寿司」の各文字は，それぞれ親しまれた既成語であるものの，全体として何らかの意味を看取させないことからすれば，本願商標は，「くるくる」の語と「ロール寿司」の語とを組み合わせた結合商標と容易に理解されるものである。
　そして，上記のとおり，本願商標の構成中の「ロール寿司」の文字は，「具や酢飯で海苔を巻いた寿司」程の意味合いを表す語として広く一般に使用されている実情が認められることからすれば，「ロール寿司」の文字部分は，本願指定商品「すし」との関係において，商品の品質（内容）を表すものと理解されて，自他商品を識別する機能を発揮し得ないものである。
　他方，上記のような「ものが軽快に連続して回転したり，輪を描くように移動したりするさま」の意味を有する「くるくる」の文字部分は，本願指定商品との関係において，特段，商品の品質等を表示するものではなく，自他商品を識別する機能を十分に果たすものであるから，取引者，需要者に対し，商品の出所識別標識として，強く支配的な印象を与えるというべきである。　
　そうすると，本願商標の「くるくる」の文字部分と「ロール寿司」の文字部分とを，分離して観察することが取引上不自然であると思われるほど不可分的に結合しているとは認められず，本願商標から「くるくる」の文字部分を要部として抽出し，これと他の商標とを比較して商標そのものの類否を判断することが許されるというべきである。　
　したがって，本願商標は，その構成中の要部である「くるくる」の文字部分に相応して，「クルクル」の称呼及び「ものが軽快に連続して回転したり，輪を描くように移動したりするさま」等の観念を生ずるものである。
イ　引用商標
（ア）引用商標１について
　引用商標１は，別掲１のとおり，６カ所に切れ目のある楕円線からなる図形（以下「輪郭図形」という。）の内部に，ややレタリングの施された「くるくる寿」とおぼしき文字と扇状の図形を上下に２つ表してなるものである。
　そして，「くるくる寿」の文字部分は扇状の図形と共に輪郭図形の内部にまとまりよく表示されており，当該文字部分から生ずる「クルクルジュ」の称呼は,一気一連に称呼できるものである。
　したがって，引用商標１からは，その構成文字に相応して「クルクルジュ」の称呼を生じ，特定の観念を生じないものである。
（イ）引用商標２
　引用商標２は，別掲２のとおり，筆文字風のレタリングを施してなる「くるくる寿司」の文字を横書きして表してなるところ，その構成中，「くるくる」の文字は，上記アのとおり，「ものが軽快に連続して回転したり，輪を描くように移動したりするさま」の意味を有すること，「寿司」の文字部分は，引用商標２の指定商品である「すし」を漢字で表したものであること，「くるくる」及び「寿司」の各文字は，それぞれ親しまれた既成語であるものの，全体として何らかの意味を看取させないことからすれば，引用商標２は，「くるくる」の語と「寿司」の語とを組み合わせた結合商標と容易に理解されるものである。
　そして，上記のとおり，引用商標２の構成中の「寿司」の文字は，引用商標２の指定商品である「すし」を漢字で表したものであることから，商品の普通名称を表すものと理解されて，自他商品を識別する機能を発揮し得ないものである。
　他方，上記ア同様，「ものが軽快に連続して回転したり，輪を描くように移動したりするさま」の意味を有する「くるくる」の文字部分は，引用商標２の指定商品との関係において，特段，商品の品質等を表示するものではなく，自他商品を識別する機能を十分に果たすものであるから，取引者，需要者に対し，商品の出所識別標識として，強く支配的な印象を与えるというべきである。
　そうすると，引用商標２の「くるくる」の文字部分と「寿司」の文字部分とを，分離して観察することが取引上不自然であると思われるほど不可分的に結合しているとは認められず，引用商標２から「くるくる」の文字部分を要部として抽出することが許されるというべきである。　
　したがって，引用商標２は，その構成中の要部である「くるくる」の文字部分に相応して，「クルクル」の称呼及び「ものが軽快に連続して回転したり，輪を描くように移動したりするさま」等の観念を生ずるものである。
ウ　本願商標と引用商標との類否について
（ア）本願商標と引用商標１との類否について
　本願商標と引用商標１の類否について検討するに，本願商標と引用商標１とは，外観においては，上記ア及びイ（ア）のとおりの構成からなるところ，その全体の構成において，顕著な差異を有するものであるから，両商標は，外観上，明確に区別できるものである。
　また，称呼については，本願商標から生ずる「クルクル」の称呼と，引用商標１から生ずる「クルクルジュ」の称呼とは，その音構成及び構成音数において明らかな差異を有するから，明瞭に聴別できるものである。
　さらに，観念については，本願商標は「ものが軽快に連続して回転したり，輪を描くように移動したりするさま」の観念を生ずるものであるのに対し，引用商標は特定の観念を生じないものであるから，両者は，相紛れるおそれはない。
　そうすると，本願商標と引用商標１とは，外観，称呼及び観念のいずれの点からみても，相紛れるおそれのない非類似の商標と判断するのが相当である。
（イ）本願商標と引用商標２との類否について
　本願商標の要部である「くるくる」の文字部分と引用商標２の要部である「くるくる」の文字部分とを対比すると，外観において，書体の差異があるものの，その構成文字を共通にするものであって，互いに近似した印象を与えるものである。
　また，称呼においては，本願商標と引用商標２とは，いずれもその要部となる「くるくる」の文字部分に相応する「クルクル」の称呼を生ずるものであるから，称呼において共通する。
　さらに，本願商標の要部と引用商標２の要部とは，その構成文字から生ずる「ものが軽快に連続して回転したり，輪を描くように移動したりするさま」の観念を同一にするものである。
　してみれば，本願商標の要部である「くるくる」の文字と引用商標の要部である「くるくる」の文字とは，外観において互いに近似した印象を与え，称呼及び観念を共通にするものであるから，外観，称呼及び観念によって，取引者，需要者に与える印象，記憶，連想等を総合して，全体的に考察すれば，本願商標と引用商標２とは相紛れるおそれのある類似の商標と判断するのが相当である。
エ　本願の指定商品と引用商標１及び引用商標２の指定商品の類否について
　本願の指定商品である第３０類「すし」は，引用商標１及び引用商標２の指定商品である第３０類「すし」と同一の商品であること明らかである。
オ　小括　
　以上のとおり，本願商標と引用商標１とは，その指定商品が同一であるとしても，外観，称呼及び観念のいずれにおいても相紛れるおそれのない非類似の商標である。
　一方，本願商標と引用商標２とは，互いに相紛れるおそれのある類似の商標であり，かつ，本願商標の指定商品は，引用商標２の指定商品と同一のものである。
　したがって，本願商標は，引用商標２と類似する商標であって，引用商標２の指定商品と同一の商品について使用をするものであるから，商標法第４条第１項第１１号に該当する。
（２）請求人の主張について
ア　請求人は，「くるくる」の語は，擬態語にあっても特異であり，他の語の付着により印象を与える内容が特定されるものであり，単なる指定商品との関連のみで分離して考察されるべきものではないこと，引用商標２は，「くるくる寿司」であり，回転寿司の「台と共に寿司がくるくる回る」「海苔がくるくる巻かれた」（海苔巻き）等の意味合いが想起でき，その頭に浮かぶ状況は「寿司」と一体であり，これを離れた「くるくる」のみが分離して想起されるものではなく，ましてや６音構成で一息に称呼しやすく省略称呼を必要としないものであることなど主張する。
　しかしながら，本願商標を構成する「ロール寿司」の文字は，原審において示した例（別掲３）に加えて，別掲４のとおり，「具や酢飯で海苔を巻いた寿司」程の意味合いを表す語として広く一般に使用されている実情が認められることから，本願の指定商品との関係においては，商品の品質（内容）を表すものと理解され，商品の出所識別標識としての機能を発揮し得ないものであるのに対し，本願商標の構成中，「くるくる」の文字が，自他商品の識別標識として，需要者に対し，強く支配的な印象を与えるものであって，当該文字を要部として抽出し，これと引用商標とを比較して，商標そのものの類否を判断することが許されるといえることは，上記（１）アのとおりであるから，引用商標２から連想させる意味合いや称呼の音数によって，上記判断は左右されないというべきである。
イ　請求人は，過去の登録例を挙げて，本願商標も同様に取り扱われるべきである旨主張している。
　しかしながら，挙げられた登録例は，本願商標とは，構成文字の違いなど，その構成及び態様等が異なり，事案を異にするものであり，かつ，具体的事案の判断においては，過去の審決例や登録例に拘束されることなく判断されるべきであるから，これらの事例の存在が上記の判断を左右するものではない。　
ウ　したがって，請求人の上記主張は，いずれも採用することができない。
（３）まとめ　
　以上のとおり，本願商標は，商標法第４条第１項第１１号に該当し，登録することができない。　
　よって，結論のとおり審決する。